(57)【要約】鍵カバーが、本体を含んでおり、本体は開口を含み、開口は鍵を受け入れるための形状をしている。鍵カバーは、更に、フラップを含んでおり、フラップは本体と相互接続され、フラップは本体の内部区域へ折り畳めるような形状をしており、内部区域は開口より広く、開口は内部区域へ通じている。【選択図】図１
2019516887.tif 000002
【特許請求の範囲】
【請求項１】
開口を含んでいる本体であって、前記開口は鍵を受け入れる形状をしている、本体と、
前記本体へ相互接続されているフラップであって、当該フラップは前記本体の内部区域へ折り畳めるような形状をしており、前記内部区域は前記開口より広く、前記開口は前記内部区域へ通じている、フラップと、
を備えている鍵カバー。
【請求項２】
前記本体の前記内部区域は前記フラップを受け入れるための受け入れ部を含んでおり、前記受け入れ部は大凡前記フラップを受け入れるサイズである、請求項１に記載の鍵カバー。
【請求項３】
前記開口は、当該開口が受け入れるように設計されている相手の標準的な鍵の頭部より小さく、前記鍵カバー及び開口は、前記標準的な鍵を受け入れるために可撓性である、請求項２に記載の鍵カバー。
【請求項４】
前記フラップは前記内部区域に向かって接合部に沿って折れる、請求項３に記載の鍵カバー。
【請求項５】
前記鍵カバーは材料の単体部片である、請求項４に記載の鍵カバー。
【請求項６】
前記本体は鍵輪を受け入れるための開口を含んでいる、請求項５に記載の鍵カバー。
【請求項７】
前記フラップは前記開口を通って前記内部区域に向かって接合部に沿って折れる、請求項１に記載の鍵カバー。
【請求項８】
前記本体の前記内部区域は前記フラップを受け入れるための受け入れ部を含んでおり、前記受け入れ部は大凡前記フラップを受け入れるサイズであり、前記受け入れ部は前記開口に間近に隣接して配置されている、請求項７に記載の鍵カバー。
【請求項９】
空洞部、前記空洞部の外側表面、及び前記空洞部の内部表面、を有している本体と、
前記本体へ接合部を介して接続されているタブであって、前記接合部の周りに折れるように向き付けられているタブと、
前記空洞部へ通じている開口であって、前記タブは内部表面に近接して置かれるように前記本体の開口を通して折り畳めるようになっている、開口と、
を備えている、鍵の頭部のためのカバー。
【請求項１０】
前記内部表面は前記タブを受け入れるための陥凹を含んでおり、前記陥凹は大凡前記タブのサイズである、請求項９に記載のカバー。
【請求項１１】
前記タブ及び本体は材料の単体部片である、請求項１０に記載のカバー。
【請求項１２】
前記本体の前記開口は標準的な鍵の幅より狭い、請求項１１に記載のカバー。
【請求項１３】
前記空洞部はサイズが前記標準的な鍵と同等である、請求項１２に記載のカバー。
【請求項１４】
前記本体は伸縮性材料で作られている、請求項１３に記載のカバー。
【請求項１５】
鍵を識別する方法であって、
空洞部、前記空洞部の外側表面、及び前記空洞部の内部表面、を有している本体と、前記本体へ接合部を介して接続されているタブであって、当該タブは前記接合部の周りに折れるように向き付けられており、開口が前記空洞部へ通じていて、当該タブは前記内部表面に近接して置かれるように前記本体の開口を通して折り畳めるようになっている、タブと、を含んでいる鍵カバーを提供する段階と、
筆記用具で前記タブに印を付ける段階と、
前記タブが前記空洞部の前記内部表面に近接して置かれるように前記タブを折り畳む段階と、
前記鍵の前記頭部を前記空洞部の中へ挿入する段階と、
を備えている方法。
【請求項１６】
前記折り畳む段階は、前記タブを前記開口の前に設定する段階及び前記タブを前記鍵で押し込む段階によって達成され、前記挿入する段階は前記開口を前記鍵の前記頭部に被せて伸ばす段階を含んでいる、請求項１５に記載の方法。
【発明の詳細な説明】
【技術分野】
【０００１】
本発明は、一体型標示部付き鍵カバーのためのシステム及び方法に関する。
【背景技術】
【０００２】
[0001]多くのシナリオでは、個人が多数の鍵について用い方を把握し判断することがある。しかも鍵同士が実質的に同じように見え実質的に同じ用い方を有していることもある。どの鍵がユーザーのどのロックと関連付けられているかを識別するのは困難であるかもしれない。多くの鍵標示付けシステムが存在してはいるが、これらのシステムは個々にそれぞれの不都合な点を抱えている。不都合な点としては、鍵に印付けするのに複数の部片が必要とされる、標準的な記述子を使用することが必要とされる、又は表示が擦り落され易い、ということが挙げられる。加えて、鍵製造者にとって加工が難しいということもあるだろう。
【発明の概要】
【０００３】
[0002]１つの実施形態では、鍵カバーが、本体を含んでおり、本体は開口を含み、開口は鍵を受け入れるための形状をしている。鍵カバーは、更に、フラップを含んでおり、フラップは本体と相互接続され、フラップは本体の内部区域へ折り畳めるような形状をしており、内部区域は開口より広く、開口は内部区域へ通じている。代替的に、本体の内部区域は、フラップを受け入れるための受け入れ部を含んでおり、受け入れ部は大凡フラップを受け入れるサイズである。１つの代替形では、鍵カバーは半透明材料で作られている。別の代替形では、フラップは筆記用具で印付けできる。随意的には、開口は、開口が受け入れるように設計されている相手の標準的な鍵の頭部より小さく、鍵カバー及び開口は標準的な鍵を受け入れるために伸びる。代替的には、フラップは内部区域に向かって接合部に沿って折れる。随意的には、鍵カバーは押出材料の単体部片である。１つの構成では、本体は鍵輪を受け入れるための開口を含んでいる。別の構成では、本体の外側表面は肌理付きである。別の実施形態では、フラップは開口を通って内部区域に向かって接合部に沿って折れる。随意的には、本体の内部区域はフラップを受け入れるための受け入れ部を含んでおり、受け入れ部は大凡フラップを受け入れるサイズであり、受け入れ部は開口に間近に隣接して配置されている。
【０００４】
[0003]１つの実施形態では、鍵の頭部のためのカバーが、空洞部、空洞部の外側表面、及び空洞部の内部表面、を有する本体を含んでいる。カバーは、更に、本体へ接合部を介して接続されているタブを含んでおり、タブは接合部の周りに折れるように向き付けられており、開口が空洞部へ通じていて、タブは内部表面に近接して置かれるように本体の開口を通して折り畳めるようになっている。随意的には、内部表面はタブを受け入れるための陥凹を含んでおり、陥凹は大凡タブのサイズである。代替的には、本体は半透明材料で作られている。別の代替形では、本体は透明材料で作られている。別の代替形では、タブは筆記用具で印付けできる。随意的には、タブ及び本体は押出材料の単体部片である。代替的には、本体の開口は標準的な鍵の幅より狭い。１つの構成では、空洞部はサイズが標準的な鍵と同等である。別の構成では、本体は伸縮性材料で作られている。
【０００５】
[0004]１つの実施形態では、鍵を識別する方法が、空洞部、空洞部の外側表面、及び空洞部の内部表面、を有している本体と、本体へ接合部を介して接続されているタブであって、接合部の周りに折れるように向き付けられており、開口が空洞部へ通じていて、タブは内部表面に近接して置かれるように本体の開口を通して折り畳めるようになっている、タブと、を含んでいる鍵カバーを提供する段階を含んでいる。方法は、更に、筆記用具でタブに印を付ける段階を含んでいる。方法は、更に、タブが空洞部の内部表面に近接して置かれるようにタブを折り畳む段階と、鍵の頭部を空洞部の中へ挿入する段階と、を含んでいる。代替的には、折り畳む段階は、タブを開口の前に設定する段階及びタブを鍵で押し込む段階によって達成され、挿入する段階は開口を鍵の頭部に被せて伸ばす段階を含んでいる。
【図面の簡単な説明】
【０００６】
【図１】[0005]鍵カバーの１つの実施形態の前方斜視図を示している。
【図２】[0006]図１の鍵カバーの後方斜視図を示している。
【図３】[0007]図１の鍵カバーの底面図を示している。
【発明を実施するための形態】
【０００７】
[0008]ここでは特定の専門用語は、単に便宜上用いられているのであり、一体型標示部付き鍵カバーのためのシステム及び方法の実施形態に対する限定と受け取られてはならない。図面では、幾つかの図を通して同じ要素を表すのに同じ参照番号が用いられている。
【０００８】
[0009]図１は、鍵カバー１００の１つの実施形態の前方斜視図を示している。鍵カバー１００は、内側区域１１０と外側表面１２０を含んでおり、内側区域は標準的な鍵を受け入れる形状をしている。外側表面１２０は、取り扱い易さ及びユーザーの手の滑り防止を向上させるために肌理付きであってもよい。示されている鍵カバー１００は、純粋に例示であり、当業者には典型的な鍵の様々な形状に相応する様々な形状が自明であろう。鍵カバー１００は、典型的には、鍵輪又は他の保持器を受け入れるための開口１３０を含んでいる。開口１３０を通して鍵輪を設置することは、更に、カバー１００を固定させるのを支援する。鍵カバー１００は、更に、接合部１５０を介して接続されているフラップ１４０を含んでいる。多くの実施形態では、接合部は材料の薄肉化部片であってもよい。多くの実施形態では、接合部は、断定的に画定されていなくて、フラップが自然に折れる点でしかないということもある。自然に折れる点は、典型的には、フラップが本体の残部へ付着しているところである。図２に示されている様に、鍵カバー１００の底部は鍵を受け入れるための開口１６０を含んでいる。加えて、フラップ１４０は接合部１５０に沿って開口１６０の中へ折れるようになっていてもよい。フラップ１４０は、鍵カバー１００内に保持されることが意図される鍵によって開口１６０の中へ進められてもよい。
【０００９】
[0010]フラップ１４０の開口１６０への挿入に先立ち、ユーザーはフラップ１４０の表面に書き込んでもよい。加えて、ユーザーは印刷された標示を挿入したりスティッカーを表面へ張り付けたりしてもよい。次いで、フラップ１４０が折り畳まれると、ユーザーには鍵カバー１００の本体を通してフラップ１４０が見えるだろう。典型的には、鍵カバー１００は、透けて見える材料であって鍵を取り囲むように又は鍵の周りに設置されるように伸びたり撓んだりすることのできる透明又は半透明の可撓性（若しくは伸縮性）材料で作られている。鍵カバー１００は、シリコン、ＴＰＥ（熱可塑性エラストマー）、又は同様の材料で作られていてもよい。
【００１０】
[0011]加えて、図３に確認できるように、鍵カバー１００はフラップ１４０を受け入れるための受け入れ部３１０を含んでいる。典型的には、受け入れ部３１０は鍵カバー１００のカバー内部の陥凹である。受け入れ部３１０はフラップ１４０を受け入れる形状をしていてもよい。多くの構成では、受け入れ部３１０の区域で単に鍵カバー１００の厚さが削られているだけである。代替的には、鍵カバー１００は、受け入れ部３１０が配置されているところでは受け入れ部がフラップ１４０を受け入れられるように鍵カバー１００が僅かに張り出すような形状をしている。一部の実施形態では、受け入れ部は存在しない。一部の構成では、フラップ１４０は省略されていて、鍵カバーは受け入れ部３１０だけを含んでいるということもある。ユーザーは鍵カバー１００を裏返しにして、受け入れ部に書き込むなり、札や標示を受け入れ部３１０へ張り付けるなりすることができる。加えて、受け入れ部３１０は、フラップ１４０を受け入れる形状をしている区域であって、フラップ１４０が受け入れ部３１０に入っているとき鍵カバー１００の内側部分が大凡平坦であるような区域、と記述することもできる。
【００１１】
[0012]概して、用い方において、鍵カバー１００は鍵を受け入れるための開口を含んでいる。開口は、それが受け入れるように設計されている相手の鍵頭部の幅より小さく設計されている。このやり方では、開口は伸びよう又は撓もうとする。概して、フラップは、それが開口を封鎖するように折られさえすればよいのであり、鍵の挿入が概してフラップ又はタブを所定位置へ押し入れる。タブの設置又は折り畳みは、タブへの書き込み又は他の印が擦り落され難くなる単一部片物品を提供するものであり、というのも書き込みが内部に折り込まれ、従って鍵カバーによって防護されるからである。鍵カバー１００は、成形及び押出などを含む様々な異なる方法により形成されることができる。多くの実施形態では、鍵カバー１００は材料の単一部片である。
【００１２】
[0013]特定の実施形態が以上の詳細な説明に詳述され添付図面に例示されているが、それらの詳細事項に対する様々な修正及び変更が、開示の全体的な教示及びその広範な進歩性のあるコンセプトに鑑みて進展され得るということが当業者には理解されるであろう。したがって、本開示の範囲はここに開示されている特定の実施例及び実施形に限定されるのではなく、付随の特許請求の範囲及びそのありとあらゆる等価物によって定義されているそれの精神及び範囲の内の修正を網羅するものとする。
【符号の説明】
【００１３】
１００  鍵カバー
１１０  内側区域
１２０  外側表面
１３０  開口（鍵輪受け入れ用）
１４０  フラップ
１５０  接合部
１６０  開口（鍵受け入れ用）
３１０  受け入れ部
【図１】
2019516887.tif 000003
【図２】
2019516887.tif 000004
【図３】
2019516887.tif 000005
【国際調査報告】
2019516887.tif 000006